(57)【要約】    【課題】  利用者が通話時間を気にせずに利用することのできる、電話接続システムを提供することを目的とする。    【解決手段】  プリペイドカード１に記載された会員番号と暗証番号の入力を電話機２ａから受ける入力手段７と、入力手段７にプリペイドカード１に記載された会員番号と暗証番号が初めて入力された初回入力時間を記録する記録手段８と、記録手段８に記録された初回入力時間に基づきプリペイドカード１の有効期限の有無を判定する判定手段９と、判定手段９の判定に基づき電話機２ａを別の電話機２ｂに接続する接続手段10とを備えた。初回入力時間を起点とした有効期限の時間内であれば何回でも無制限に利用できるように構成できる。    【選択図】  図１
2005197970.tif 000002
【特許請求の範囲】
【請求項１】
プリペイドカードに記載された会員番号と暗証番号の入力を電話機から受ける入力手段と、この入力手段に前記プリペイドカードに記載された会員番号と暗証番号が初めて入力された初回入力時間を記録する記録手段と、この記録手段に記録された前記初回入力時間に基づき前記プリペイドカードの有効期限の有無を判定する判定手段と、この判定手段の判定に基づき前記電話機を別の電話機に接続する接続手段とを備えたことを特徴とする電話接続システム。
【請求項２】
前記記録手段に記録された前記初回入力時間から一定時間が経過した場合に、前記判定手段が前記プリペイドカードの有効期限が切れたものと判定するように構成したことを特徴とする請求項１記載の電話接続システム。
【請求項３】
前記接続手段により前記電話機と別の電話機とが継続して接続された状態にあるとき、前記記録手段に記録された前記初回入力時間から前記一定時間が経過したとしても、前記接続手段による前記電話機と別の電話機との接続が維持されるように構成したことを特徴とする請求項２記載の電話接続システム。
【発明の詳細な説明】
【技術分野】
【０００１】
本発明は、電話接続システムに関し、特に、会員同士の通話を目的としたテレホンクラブ等に用いられる電話接続システムに関する。
【背景技術】
【０００２】
従来、会員同士の通話を目的とした、いわゆるツーショット，伝言ダイヤルといったテレホンクラブ等に用いられる電話接続システムにおいて、利用料金は通話時間に比例して課金されていた。
【０００３】
また、一般の電話や公衆電話などからも利用できるように、電話接続時に利用者が電話を通じて利用者カードに記載された登録番号とパスワードを入力し、利用者が入力したパスワードと、予め電話接続システムに登録されているパスワードとを照合し、これらのパスワードが一致した場合のみ特定の電話機に接続するようにした電話接続システムが知られている（例えば、特許文献１を参照）が、この電話接続システムの利用料金も、利用者カードの購入金額に応じて与えられた利用可能度数から実際の利用に伴って減算される仕組みになっており、通話時間に比例して課金されるようになっている。
【特許文献１】特開平６−９０２８８号公報
【発明の開示】
【発明が解決しようとする課題】
【０００４】
しかしながら、従来の電話接続システムにおいては、利用料が通話時間に比例して課金されるため、利用者は通話時間を常に気にしながら利用しなければならず、電話接続先の相手方との会話に専念できないといった問題があった。
【０００５】
そこで、本発明は、上記問題を解決し、利用者が通話時間を気にせずに利用することのできる、電話接続システムを提供することを目的とする。
【課題を解決するための手段】
【０００６】
本発明の請求項１記載の電話接続システムは、プリペイドカードに記載された会員番号と暗証番号の入力を電話機から受ける入力手段と、この入力手段に前記プリペイドカードに記載された会員番号と暗証番号が初めて入力された初回入力時間を記録する記録手段と、この記録手段に記録された前記初回入力時間に基づき前記プリペイドカードの有効期限の有無を判定する判定手段と、この判定手段の判定に基づき前記電話機を別の電話機に接続する接続手段とを備えたことを特徴とする。
【０００７】
本発明の請求項２記載の電話接続システムは、請求項１において、前記記録手段に記録された前記初回入力時間から一定時間が経過した場合に、前記判定手段が前記プリペイドカードの有効期限が切れたものと判定するように構成したことを特徴とする。
【０００８】
本発明の請求項３記載の電話接続システムは、請求項２において、前記接続手段により前記電話機と別の電話機とが継続して接続された状態にあるとき、前記記録手段に記録された前記初回入力時間から前記一定時間が経過したとしても、前記接続手段による前記電話機と別の電話機との接続が維持されるように構成したことを特徴とする。
【発明の効果】
【０００９】
本発明の請求項１記載の電話接続システムによれば、プリペイドカードに記載された会員番号と暗証番号が初めて入力された初回入力時間に基づきプリペイドカードの有効期限の有無を判定するので、初回入力時間を起点とした有効期限の時間内であれば何回でも無制限に利用できるように構成できるので、利用者が通話時間を気にせずに利用することができる電話接続システムを提供することができる。
【００１０】
本発明の請求項２記載の電話接続システムによれば、初回入力時間から一定時間が経過した場合にプリペイドカードの有効期限が切れたものと判定するように構成したので、初回入力時間を起点とした一定時間がプリペイドカードの有効期限となり、有効期限の時間内であれば何回でも無制限に利用できるように構成できるので、利用者が通話時間を気にせずに利用することができる電話接続システムを提供することができる。
【００１１】
本発明の請求項３記載の電話接続システムによれば、接続手段により電話機と別の電話機とが継続して接続された状態にあるとき、記録手段に記録された初回入力時間から一定時間が経過したとしても、接続手段による電話機と別の電話機との接続が維持されるように構成したので、利用者が通話時間を気にせずに利用することができる電話接続システムを提供することができる。
【発明を実施するための最良の形態】
【００１２】
以下、本発明の電話接続システムにおける好ましい実施例について、添付した図面を参照しながら説明する。
【実施例１】
【００１３】
本発明の電話接続システムの実施例１の構成を図１に示す。１はプリペイドカードであって、会員番号と暗証番号が記載されている。なお、このプリペイドカード１には、番組アクセス番号や番組の利用方法等も記載されている。
【００１４】
２ａ，２ｂは一般の電話や携帯電話などの電話機であり、それぞれ既存の電話回線網３ａ，３ｂ、ＰＢＸ４ａ，４ｂを介して、電話接続システムとしてのサーバー５に接続している。なお、図１において、電話機２ａ，２ｂは２台のみを図示しているが、実際には多数の電話機が存在し、これらの多数の各電話機をサーバー５に接続する電話回線網とＰＢＸが存在している。
【００１５】
サーバー５には、電話接続システムを制御する制御部６が設けられている。この制御部６は、所定の条件に基づき電話機２ａ，２ｂの接続を制御するように構成されている。また、制御部６には、入力手段７，記録手段８，判定手段９，接続手段10，音声手段11，メモリー手段12が接続している。
【００１６】
入力手段７は、プリペイドカード１に記載された会員番号と暗証番号の入力を電話機２ａから制御部６を経由して受けるとともに、入力された会員番号と暗証番号が正しいかどうかを照合するように構成されている。そして、入力された会員番号と暗証番号が正しいと確認された場合には、制御部６を経由して記録手段８に会員番号と暗証番号が入力された時間が記録されるようになっている。なお、会員番号と暗証番号が初めて入力された場合、すなわちプリペイドカード１が初めて利用された場合は、その時間は初回入力時間として記録手段８に記録されるようになっている。
【００１７】
判定手段８は、制御部８を経由して記録手段８に記録された初回入力時間と現在の時刻を比較し、初回入力時間から一定時間、例えば３６５分が経過していない場合はプリペイドカード１が有効であると判定し、一定時間が既に経過している場合はプリペイドカード１が無効であると判定し、その判定結果を制御部８へ出力するように構成されている。そして、制御部８は、判定手段８の判定結果に基づき接続手段10を制御し、接続手段10は、プリペイドカード１が有効である場合はサーバー５を介して電話機２ａを別の電話機２ｂに接続し、プリペイドカード１が無効である場合は接続手段10が電話機２ａとサーバー５との接続を切断するように構成されている。
【００１８】
音声手段11は、サーバー５に接続した電話機２ａへ、操作方法や現在の接続状況等を合成音声により案内するように構成されている。また、メモリー手段12は、電話機２ａから別の電話機２ｂに宛てた伝言などを記憶したり、電話機２ａ側に提供する番組の音声などを予め記憶しておいたりすることができるように構成されている。
【００１９】
つぎに、図２に基づき作用を説明する。はじめに、電話機２ａから番組に応じて割り振られた番組アクセス番号に電話を掛けると、電話回線網３ａ，ＰＢＸ４ａを介してサーバー５に着信する（Ｓ１）。
【００２０】
着信を確認した制御部６は、音声手段11による音声により、プリペイドカード１に記載された会員番号と暗証番号を電話機２ａのプッシュボタンを利用して入力するように案内する。電話機２ａから会員番号と暗証番号を入力（Ｓ２）すると、入力手段７は、制御部６を経由してその会員番号と暗証番号の入力信号を受け、入力された会員番号と暗証番号が正しいかどうかを照合する。そして、入力された会員番号と暗証番号が正しい場合には、制御部６を経由して記録手段８に会員番号と暗証番号が入力された時間が記録される。なお、会員番号と暗証番号が初めて入力された、すなわちプリペイドカード１が初めて利用された場合は、その時間は初回入力時間として記録手段８に記録される。
【００２１】
つぎに、判定手段８は、制御部８を経由して記録手段８に記録された初回入力時間と現在の時刻を比較し、初回入力時間から一定時間、例えば３６５分が経過していない場合はプリペイドカード１が有効であると判定し、一定時間が既に経過している場合はプリペイドカード１が無効であると判定し（Ｓ３）、その判定結果を制御部８へ出力する。
【００２２】
そして、制御部８は、判定手段８の判定結果に基づき接続手段10を制御し、接続手段10は、プリペイドカード１が無効である場合は電話機２ａとサーバー５との接続を切断する（Ｓ４）。
【００２３】
また、プリペイドカード１が有効である場合は、音声手段11により電話機２ｂとの接続前の案内としての接続前音声が電話機２ａに案内される（Ｓ５）。ここで、プリペイドカード１を用いた初回の接続の場合は、例えばこの番組が６時間使い放題である旨などを詳しく利用者に案内し、２回目以降の接続の場合は、これから番組に入る旨のみを簡単に案内する。
【００２４】
そして、相手方の電話機２ｂに利用者の電話機２ａを接続する（Ｓ６）。なお、一度接続すると、その接続を切断するまで、たとえプリペイドカード１の有効期限が過ぎたとしても接続は維持される。したがって、一度接続されればその接続を切断するまでは、利用者は時間を気にすることなく、会話を楽しむことができる。
【００２５】
一旦接続が切断されると、２回目以降の接続のためには再び最初のステップ（Ｓ１）からとなる。したがって、一旦接続を切断し、つぎの接続時に初回入力時間から一定時間、例えば３６５分が経過している場合は、プリペイドカード１が無効であると判定され（Ｓ３）、電話機２ａとサーバー５との接続が切断される（Ｓ４）。
【００２６】
以上のように、本発明の電話接続システムによれば、プリペイドカード１に記載された会員番号と暗証番号の入力を電話機２ａから受ける入力手段７と、この入力手段７に前記プリペイドカード１に記載された会員番号と暗証番号が初めて入力された初回入力時間を記録する記録手段８と、この記録手段８に記録された前記初回入力時間に基づき前記プリペイドカード１の有効期限の有無を判定する判定手段９と、この判定手段９の判定に基づき前記電話機２ａを別の電話機２ｂに接続する接続手段10とを備えたので、初回入力時間を起点とした有効期限の時間内であれば何回でも無制限に利用できるように構成でき、利用者が通話時間を気にせずに利用することができる電話接続システムを提供することができる。
【００２７】
また、前記記録手段８に記録された前記初回入力時間から前記一定時間が経過した場合に、前記判定手段９が前記プリペイドカード１の有効期限が切れたものと判定するように構成したので、初回入力時間を起点とした一定時間がプリペイドカード１の有効期限となり、有効期限の時間内であれば何回でも無制限に利用できるように構成できるので、利用者が通話時間を気にせずに利用することができる電話接続システムを提供することができる。
【００２８】
また、前記接続手段10により前記電話機２ａと別の電話機２ｂとが継続して接続された状態にあるとき、前記記録手段８に記録された前記初回入力時間から前記一定時間が経過したとしても、前記接続手段10による前記電話機２ａと別の電話機２ｂとの接続が維持されるように構成したので、利用者が通話時間を気にせずに利用することができる電話接続システムを提供することができる。
【００２９】
なお、本発明は上記実施例に限定されるものではなく、種々の変形実施が可能である。例えば、上記実施例では記録手段８に記録された初回入力時間から一定時間が経過したとしても接続手段10による電話機２ａと別の電話機２ｂとの接続が維持されるように構成した例を示したが、記録手段８に記録された初回入力時間から一定時間が経過した時点で接続手段10による電話機２ａと別の電話機２ｂとの接続を切断するように構成してもよい。
【図面の簡単な説明】
【００３０】
【図１】本発明の電話接続システムの実施例１の構成を示すブロック図である。
【図２】同上作用を示すフロー図である。
【符号の説明】
【００３１】
１  プリペイドカード
２ａ，２ｂ  電話機
７  入力手段
８  記録手段
９  判定手段
10  接続手段
【図１】
2005197970.tif 000003
【図２】
2005197970.tif 000004